Podtech/llm-jp-corpus-v4-ja_patent huggingface dataset:
【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】  抗原活性についてペプチドを試験する方法であって、該方法が、以下の工程：
（ａ）樹状細胞および非樹状細胞の融合産物を含むハイブリッド細胞を提供する工程であって、ここで該ハイブリッド細胞が、その表面上にＢ７を発現する、工程；
（ｂ）該ペプチドの存在下で該ハイブリッド細胞と標的細胞を接触させる工程であって、ここで該標的細胞の溶解は、該ペプチドを抗原ペプチドとして同定する、工程、
を包含する、方法。
【請求項２】  抗原活性についてペプチドを試験する方法であって、該方法が、以下の工程：
（ａ）エフェクター細胞を含む細胞の集団を提供する工程であって、ここで該集団の少なくとも５％の細胞が、少なくとも１種の哺乳動物樹状細胞と細胞表面の抗原を発現する少なくとも１種の哺乳動物非樹状細胞との間の融合によって産生される融合細胞であり、ここで該融合細胞が、免疫応答を刺激するのに効果的な量における、（ｉ）ＭＨＣクラスＩＩ分子、（ｉｉ）Ｂ７、および（ｉｉｉ）該細胞表面の抗原を発現し、ここでＴリンパ球の集団が、複数の細胞と接触され、ここで該接触が、Ｔリンパ球の集団中のエフェクター細胞前駆体細胞のエフェクター細胞への分化を起こす、工程；ならびに、
（ｂ）該ペプチドの存在下で該細胞の集団と複数の標的細胞を接触させる工程、
を包含する、方法であって、
ここで、該複数の標的細胞または該複数の標的細胞の一部分の溶解によって、該ペプチドを該細胞の集団内の細胞傷害性Ｔリンパ球によって認識される抗原ペプチドとして同定する、方法。
【請求項３】  前記哺乳動物非樹状細胞が、癌細胞である、請求項２に記載の方法。
【請求項４】  前記ペプチドが、前記癌細胞によって発現されるタンパク質のフラグメントである、請求項３に記載の方法。
【請求項５】  前記エフェクター細胞が、細胞傷害性Ｔリンパ球（ＣＴＬ）である、請求項２に記載の方法。
【請求項６】  前記エフェクター細胞が、ヘルパーＴリンパ球（ＨＴＬ）である、請求項２に記載の方法。
【請求項７】  エフェクター細胞を含む細胞の集団を作製する方法であって、該方法が、以下の工程：
（ａ）複数の細胞を提供する工程であって、少なくとも５％が融合細胞であり、該複数の細胞のそれぞれの融合細胞が、少なくとも１種の哺乳動物樹状細胞と細胞表面抗原を発現する少なくとも１種の哺乳動物非樹状細胞との間の融合によって産生され、ここで該融合細胞が、免疫応答を刺激するのに効果的な量において、（ｉ）ＭＨＣクラスＩＩ分子、（ｉｉ）Ｂ７、および（ｉｉｉ）該細胞表面抗原を発現する、工程；ならびに、
（ｂ）該複数の細胞とＴリンパ球の集団を接触させる工程であって、ここで該接触が、該Ｔリンパ球の集団中のエフェクター細胞前駆体細胞のエフェクター細胞への分化を起こす、工程、
を包含する、方法。
【請求項８】  前記哺乳動物非樹状細胞が、癌細胞である、請求項７に記載の方法。
【請求項９】  前記エフェクター細胞が、細胞傷害性Ｔリンパ球（ＣＴＬ）である、請求項７に記載の方法。
【請求項１０】  前記エフェクター細胞が、ヘルパーＴリンパ球（ＨＴＬ）である、請求項７に記載の方法。
【請求項１１】  エフェクター細胞を含む細胞の集団であって、ここで該細胞の集団が、請求項７の方法によって作製される、細胞の集団。
【請求項１２】  前記エフェクター細胞が、ＣＴＬである、請求項１１に記載の細胞の集団。
【請求項１３】  前記エフェクター細胞が、ＨＴＬである、請求項１１に記載の細胞の集団。
【請求項１４】  処置用組成物であって、該組成物が
請求項１１の細胞の集団を含み、
該細胞の集団は、細胞傷害性Ｔリンパ球の作用によって減らされ得る症状を伴う疾患を患う被験体に投与するために処方されている、処置用組成物。
【請求項１５】  前記疾患が、癌である、請求項１４に記載の組成物。
【請求項１６】  被験体において免疫応答を誘導するための組成物であって、該組成物が、
請求項２に記載の方法によって同定されるペプチドまたは該ペプチドがフラグメントとなったポリペプチドを含み、該当ペプチドまたは該ポリペプチドが、該被験体に投与されるために処方されている、組成物。
【手続補正書】
【提出日】平成20年1月7日(2008.1.7)
【手続補正１】
【補正対象書類名】明細書
【補正対象項目名】特許請求の範囲
【補正方法】変更
【補正の内容】
【特許請求の範囲】
【請求項１】  非ヒト哺乳動物であって、該非ヒト哺乳動物は、以下：
該哺乳動物に対して異種のＣ１インヒビターをコードするＤＮＡセグメントであって、該哺乳動物の乳腺細胞における該ＤＮＡセグメントの発現を促進させるのに効果的な少なくとも１つの調節配列に対して作動可能に連結されている、ＤＮＡセグメント、および該哺乳動物の乳房細胞において機能するシグナルペプチドをコードするセグメント、
を含み；
ここで、該Ｃ１インヒビターをコードするＤＮＡセグメントが、該哺乳動物の成体形またはその雌の子孫の乳腺細胞において発現されて、該非ヒト哺乳動物の乳汁中にＣ１インヒビターを産生し得る、
非ヒト哺乳動物。
【請求項２】  前記乳汁中の前記Ｃ１インヒビターの濃度が、少なくとも１ｍｇ／ｍｌである、請求項１に記載の非ヒト哺乳動物。
【請求項３】  前記Ｃ１インヒビターがヒトＣ１インヒビターである、請求項１に記載の非ヒト哺乳動物。
【請求項４】  前記非ヒト哺乳動物が、マウス、ウサギ、ヤギ、ヒツジ、ブタ、またはウシである、請求項１に記載の非ヒト哺乳動物。
【請求項５】  前記組換えＤＮＡセグメントがｃＤＮＡである、請求項４に記載の非ヒト哺乳動物。
【請求項６】  前記組換えＤＮＡセグメントがゲノムである、請求項４に記載の非ヒト哺乳動物。
【請求項７】  前記組換えＤＮＡセグメントが、ｃＤＮＡ−ゲノムハイブリッドである、請求項４に記載の非ヒト哺乳動物。
【請求項８】  前記シグナルペプチドが、Ｃ１インヒビターシグナルペプチドである、請求項１に記載の非ヒト哺乳動物。
【請求項９】  前記異種Ｃ１インヒビターをコードするＤＮＡセグメント、前記調節配列および前記シグナルペプチドをコードするセグメントが、前記哺乳動物の生殖細胞系中に挿入される、請求項１に記載の非ヒト哺乳動物。
【請求項１０】  Ｃ１インヒビターを提供する方法であって、該方法は、以下：
請求項１に記載のトランスジェニック非ヒト哺乳動物の成体形またはその雌の子孫から乳汁を回収する工程、
を包含する、方法。
【請求項１１】  食品中に前記乳汁を組み込む工程
をさらに包含する、請求項１０に記載の方法。
【請求項１２】  前記乳汁から前記Ｃ１インヒビターを精製する工程
をさらに包含する、請求項１１に記載の方法。
【請求項１３】  前記Ｃ１インヒビターが、少なくとも９５％純粋である、請求項１２に記載の方法。
【請求項１４】  前記Ｃ１インヒビターを、静脈内投与、皮内投与、筋肉内投与または経口投与のための薬学的キャリアと混合する工程
をさらに包含する、請求項１３に記載の方法。
【請求項１５】  ヒトＣ１インヒビターを含む非ヒト哺乳動物由来の乳汁。
【請求項１６】  前記Ｃ１インヒビタータンパク質の濃度が、少なくとも１ｍｇ／ｍｌである、請求項１５に記載の乳汁。
【請求項１７】  前記Ｃ１インヒビターが少なくとも０．９の機能性指数を有する、請求項１６に記載の乳汁。
【請求項１８】  請求項１２に記載の方法によって産生されるＣ１インヒビター。
【請求項１９】  前記Ｃ１インヒビターが、ヒトＣ１インヒビターであってそして他のヒトタンパク質を含まない、請求項１８に記載のＣ１インヒビター。
【請求項２０】  請求項１９に記載のＣ１インヒビターおよび薬学的キャリアを含む、薬学的組成物。
【請求項２１】  前記薬学的キャリアが、静脈内投与のためのキャリアである、請求項２０に記載の薬学的組成物。
【請求項２２】  前記薬学的組成物が、滅菌されており、実質的に等張性であり、そしてＧＭＰ条件下で産生される、請求項２１に記載の薬学的組成物。
【請求項２３】  Ｃ１インヒビター欠損症に罹患しているかまたは感受性のある患者を処置するための組成物であって、該組成物は、
請求項１に従って産生されたＣ１インヒビター；および
薬学的受容可能な組成物
を含む、組成物。
【請求項２４】  ヒトＣ１インヒビターを精製する方法であって、該方法は、以下：
該ヒトＣ１インヒビターが陽イオン交換カラムに結合する条件下で、該陽イオン交換カラムに該ヒトＣ１インヒビターを含むサンプルをロードする工程；
該陽イオン交換カラムから該ヒトＣ１インヒビターを溶出する工程；
該ヒトＣ１インヒビターが陰イオン交換カラムに結合する条件下で、該陰イオン交換カラムに該溶出液をロードする工程；
該陰イオン交換カラムから該ヒトＣ１インヒビターを溶出する工程；
残留する混入タンパク質が金属イオン交換カラムに結合する条件下で、該金属イオン交換カラムに該溶出液をロードする工程；
該金属イオン交換カラムから該ヒトＣ１インヒビターを含む溶出液を収集する工程、
を包含する、方法。
【請求項２５】  前記サンプルがウサギＣ１インヒビターをさらに含み；そして、前記金属イオン交換カラムからの前記溶出液が、該サンプルよりも、ウサギＣ１インヒビターに対するヒトＣ１インヒビターのより高い比率を有する、請求項２４に記載の方法。
【請求項２６】  前記比率が少なくとも５００：１である、請求項２５に記載の方法。
【請求項２７】  他のヒトタンパク質を含まないヒトＣ１インヒビターを含む、薬学的組成物。
【請求項２８】  少なくとも９８％ｗ／ｗ純粋であるヒトＣ１インヒビターを含む、薬学的組成物。
【請求項２９】  滅菌されている、請求項２７または請求項２８に記載の薬学的組成物。
【請求項３０】  Ｃ１インヒビター欠損症に罹患しているかまたは感受性のある患者を処置するための、請求項２７〜請求項２９のいずれか１項に記載の組成物。
【請求項３１】  Ｃ１インヒビター欠損症に罹患しているかまたは感受性のある患者の処置のための医薬の製造における、非ヒトタンパク質を含まないヒトＣ１インヒビターの使用。
【請求項３２】  Ｃ１インヒビター欠損症に罹患しているかまたは感受性のある患者の処置のための医薬の製造における、少なくとも９８％ｗ／ｗ純粋であるヒトＣ１インヒビターの使用。
【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】  イヌＩｇＥに特異的に結合するイヌおよびマウス免疫グロブリンを含む抗体。
【請求項２】  抗体がモノクローナル抗体である、請求項１記載の抗体。
【請求項３】  マウスの長および短鎖可変領域に融合したイヌの不変長および短ドメイン含む、請求項１記載の抗体。
【請求項４】  抗体がイヌＩｇＥの長鎖不変領域のエキソン３に対してアフィニティーを有する、請求項１記載の抗体。
【請求項５】  抗体がＣ１５Ａ．２である、請求項２記載の抗体。
【請求項６】  抗体がＩｇＥが別の受容体と結合することを妨げ、その別の受容体が１またはそれ以上のＢ細胞、肥満細胞および好塩基球からなる群より選択される細胞上にある、請求項１記載の抗体。
【請求項７】  抗体がさらにＩｇＧ長鎖の少なくとも一部を含む、請求項１記載の抗体。
【請求項８】  ＩｇＥと特異的に結合するイヌおよびマウス免疫グロブリンを含む抗体をイヌに投与することを含む、イヌのアレルギーの治療方法。
【請求項９】  抗体がモノクローナル抗体である、請求項８記載の方法。
【請求項１０】  抗体がマウスの長および短鎖可変領域に融合したイヌの不変長および短ドメイン含む、請求項９記載の方法。
【請求項１１】  抗体がイヌＩｇＥのエキソン３に対してアフィニティーを有する、請求項８記載の方法。
【請求項１２】  抗体がＣ１５Ａ．２である、請求項１１記載の方法。
【請求項１３】  抗体の投与が治療されるイヌにおいて血清ＩｇＥレベルの低下をもたらす、請求項８記載の方法。
【請求項１４】  抗体の投与がＩｇＥのＢ細胞上への結合をもたらし、その後でＢ細胞のクローン集団を排除する、請求項８記載の方法。
【請求項１５】  抗体の投与がＩｇＥの血漿への結合をもたらす、請求項８記載の方法。
【請求項１６】  抗体の投与がイヌにおいてＩｇＥ産生の阻害をもたらす、請求項８記載の方法。
【請求項１７】  抗体がさらにＩｇＧ長鎖配列を含む、請求項８記載の方法。
【請求項１８】  血清ＩｇＥレベルの低下がＩｇＥとＩｇＥについての受容体との相互作用を破壊または遮断することにより惹起される、請求項１３記載の方法。
【請求項１９】  ＩｇＥについての受容体が肥満細胞上にある、請求項１８記載の方法。
【請求項２０】  ＩｇＥについての受容体が好塩基球上にある、請求項１８記載の方法。
【請求項２１】  イヌのアレルギーを治療するための医薬処方であって、治療上有効量のイヌおよびマウスの免疫グロブリンを含む抗体を含み、ここに抗体がイヌＩｇＥに特異的に結合する、医薬処方。
【請求項２２】  抗体がモノクローナル抗体を含む、請求項２１記載の医薬処方。
【請求項２３】  モノクローナル抗体が、マウスの長および短鎖可変領域に融合したイヌの不変長および短ドメインを含み、イヌＩｇＥの長鎖不変領域のエキソン３に対してアフィニティーを有する、請求項２２記載の医薬処方。
【請求項２４】  さらに、セイラインまたは他の非経口用溶液、緩衝化剤、安定化剤、増量剤、酸化防止剤および共溶媒からなる群より選択される１またはそれ以上の成分を含んでいる、請求項２１記載の医薬処方。
【請求項２５】  静脈内投与、皮下投与および筋肉内投与からなる方法のうち１またはそれ以上の方法による投与に適する形態である、請求項２２記載の医薬処方。
【請求項２６】  抗体が遊離イヌＩｇＥおよびＢ細胞に結合したＩｇＥに結合する、請求項１記載の抗体。
【請求項２７】  抗体が遊離イヌＩｇＥおよびＢ細胞に結合したＩｇＥに結合する、請求項２１記載の医薬処方。
【手続補正書】
【提出日】平成20年1月29日(2008.1.29)
【手続補正１】
【補正対象書類名】明細書
【補正対象項目名】特許請求の範囲
【補正方法】変更
【補正の内容】
【特許請求の範囲】
【請求項１】
（a）各々のタンパク質がＮ末端又はＣ末端の何れかにおいてマーカー部分によりタグ付加されたタンパク質をコードする複数のcDNA分子を提供すること；
（b）個々のタグ付加されたタンパク質を、空間的に分離されたフォーマットで発現させること；
（c）各々のタグ付加されたタンパク質を、単一のステップで、空間的に規定されたフォーマットで精製、固定して、タンパク質アレイを作成すること
を備えたタンパク質アレイを作成する方法。
【請求項２】
前記マーカー部分が、
（a）ヘキサヒスチジンタグ；
（b）完全なタンパク質又はタンパク質ドメイン；
（c）抗体のエピトープ；
（d）ビオチン類似物；および
（e）マルトース結合タンパク質ドメイン
からなる群より選択されるペプチド配列である、請求項１に記載の方法。
【請求項３】
前記マーカー部分が、タグ付加されたタンパク質の精製を可能とする請求項１又は２に記載の方法。
【請求項４】
前記アレイ中のタンパク質が、前記マーカー部分によって表面に固定化されている、請求項１〜３の何れか１項に記載の方法。
【請求項５】
前記マーカー部分が、翻訳後修飾されている、請求項１〜４の何れか１項に記載の方法。
【請求項６】
前記翻訳後修飾が、ビオチンまたは脂質分子の付加を含む、請求項５に記載の方法。
【請求項７】
前記タグ付加されたタンパク質が、正しく折り畳まれ、機能を維持している、請求項１〜６の何れか１項に記載の方法。
【請求項８】
前記タグ付加されたタンパク質が、完全長である、請求項１〜７の何れか１項に記載の方法。
【請求項９】
前記マーカー部分が、前記タグ付加されたタンパク質の発現の確認を可能にする、請求項１〜８の何れか１項に記載の方法。
【請求項１０】
前記マーカー部分が、前記タグ付加されたタンパク質の折り畳みの確認を可能にする、請求項１〜９の何れか１項に記載の方法。
【請求項１１】
タグ付加されたタンパク質をコードする前記cDNA分子が、前記１以上のDNA分子に存在する開始コドンの直後または停止コドンの直前の何れかに、マーカー部分をコードする追加の公知のDNA配列を挿入することを含む、以下の工程を備えた方法により作成される、請求項１〜１０の何れか１項に記載の方法：
（a）前記１以上のDNA分子から入れ子状態の欠失物のセットを作成する工程；
（b）入れ子状態の欠失物のセットに、オリゴヌクレオチドの第一または第二のセットをアニーリングし、ライゲートする工程；ここで、
（i）3つの可能な停止コドンの一または複数の配列または相補配列は、オリゴヌクレオチドの第一のセットの混合物の中に提示され、
（ii）3つの主要な開始コドンの一または複数の配列または相補配列は、オリゴヌクレオチドの第二のセットの混合物の中に提示され、
（c）オリゴヌクレオチドの第一または第二のセットに相補的になるように選択されたオリゴヌクレオチドプライマーを用いたプライマー伸張反応により、ライゲート産物を特異的に増幅する工程。
【請求項１２】
請求項１〜１０の何れか１項に記載の方法であって、１以上のテスト化合物を、前記タンパク質アレイと接触させる工程と、前記アレイ中の前記タンパク質への前記１以上の化合物の結合を測定し、これにより前記１以上の化合物を生物学的活性についてスクリーニングする工程とを更に備えた方法。
【請求項１３】
請求項１〜１０の何れか１項に記載の方法であって、１以上のタンパク質、例えば、細胞表面受容体を、前記タンパク質アレイと接触させる工程と、前記１以上の特異的なタンパク質の、前記アレイの前記タンパク質との結合を測定し、これにより１以上のタンパク質を特異的なタンパク質−タンパク質相互作用についてスクリーニングする工程とを更に備えた方法。
【請求項１４】
請求項１〜１０の何れか１項に記載の方法であって、１以上の核酸プローブを、前記タンパク質アレイと接触させる工程と、前記プローブの、前記アレイ中の前記タンパク質への結合を測定し、これにより１以上のタンパク質を特異的なタンパク質−核酸相互作用についてスクリーニングする工程とを更に備えた方法。
【請求項１５】
請求項１〜１０の何れか１項に記載の方法であって、前記タンパク質アレイ中の１以上のタンパク質が抗体ライブラリー中の少なくとも１つの抗体に結合するように、前記タンパク質アレイを、抗体ライブラリーと接触させる工程と、結合していない全ての抗体を除去する工程と；前記タンパク質アレイ中のタンパク質に結合した抗体を固定化し、これにより抗体アレイを作成する工程とを更に備えた方法。
【手続補正書】
【提出日】平成19年12月11日(2007.12.11)
【手続補正１】
【補正対象書類名】明細書
【補正対象項目名】特許請求の範囲
【補正方法】変更
【補正の内容】
【特許請求の範囲】
【請求項１】所定のパターンで基板に堆積され、少なくとも高い結晶化状態にある鉱物の結合材により結合されている金属粒子を有する電極を有するプラズマパネルタイル。
【請求項２】上記鉱物の結合剤は、上記電極の３乃至２５重量％を有することを特徴とする請求項１記載のプラズマパネルタイル。
【請求項３】上記金属粉は、銀、銅、アルミニウム及びそれらの合金を有する群から選択された金属を有することを特徴とする請求項１記載のプラズマパネルタイル。
【請求項４】上記基板はソーダ石灰ガラスに基づくことを特徴とする請求項１記載のプラズマパネルタイル。
【請求項５】上記電極において堆積された誘電体層を有することを特徴とする請求項１記載のプラズマパネルタイル。
【請求項６】上記鉱物の結合剤は結晶化ガラスを有することを特徴とする請求項１記載のプラズマパネルタイル。
【請求項７】上記ガラスは、クロム、酸化クロム、ジルコニウム、酸化ジルコニウム、チタン、及び、酸化チタンを有する群から選択された少なくとも一つの再結晶成分を有することを特徴とする請求項６記載のプラズマパネルタイル。
【請求項８】上記ガラスにおける上記再結晶成分の重量の含有量は１％より大きいことを特徴とする請求項７記載のプラズマパネルタイル。
【請求項９】請求項１乃至８の何れか一項に記載のプラズマパネルタイルの少なくとも１つを有することを特徴とするプラズマディスプレイパネル。
【請求項１０】前記プラズマパネルタイルはリヤタイルであることを特徴とする請求項９記載のプラズマディスプレイパネル。
【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】
電気伝導性基板、及び該基板と電気的接続をなす端子を含む電気回路を設け、前記電気回路を有するシート状のグレイジング用材料の窓ガラスを具えるグレイジングであって、前記端子を接着剤及びハンダの双方により前記基板に取り付け、それによって前記接着剤が機械的荷重を担い、前記ハンダが前記端子と前記基板との間の電気的接続を提供するグレイジングにおいて、
前記端子が、相互に係合するように適合させた、分離した基部部品およびコネクタ部品を具え、前記端子の基部部品を接着剤により前記基板に取り付けたことを特徴とするグレイジング。
【請求項２】
請求項１に記載のグレイジングにおいて、
前記接着剤が熱によって活性化または硬化するものであるグレイジング。
【請求項３】
請求項１又は２に記載のグレイジングにおいて、
前記接着剤が電気伝導性接着剤であるグレイジング。
【請求項４】
請求項１〜３のいずれか１項に記載のグレイジングにおいて、
前記接着剤と前記ハンダの融点の差が20℃以内、望ましくは10℃以内、より望ましくは5℃以内であることを特徴とするグレイジング。
【請求項５】
請求項１〜４のいずれか１項に記載のグレイジングにおいて、
前記電気伝導性基板を該グレイジング上にインクを塗布し、乾燥させ、さらには耐久性を有する導電経路を提供するために加熱して形成したものであることを特徴とするグレイジング。
【請求項６】
電気伝導性基板、及び該基板と電気的接続をなす端子を含む電気回路を設けたグレイジングの製造方法であって、
前記電気回路及び前記基板を設けた窓ガラスを用意するステップと、
前記端子を接着剤及びハンダの双方により前記基板に取り付けるステップとを含み、
それによって前記接着剤が機械的荷重を担い、前記ハンダが前記端子と前記基板との間の電気的接続を提供するグレイジングの製造方法において、
相互に係合するように適合させた、分離した基部部品及びコネクタ部品を、前記端子に設け、前記端子の基部部品を接着剤により前記基板に取り付けることを特徴とする、グレイジングの製造方法。
【請求項７】
請求項６に記載の方法において、
前記接着剤を前記端子と接触させて配置するように、半硬化乾燥形のタブレットとして提供する、グレイジングの製造方法。
【請求項８】
請求項７に記載の方法において、
前記タブレットを、これと接触する端子の部分と適合するように予備成形する、グレイジングの製造方法。
【請求項９】
請求項６〜８のいずれか１項に記載の方法において、
前記接着剤を前記端子に予め塗布しておく、グレイジングの製造方法。
【請求項１０】
請求項６〜９のいずれか１項に記載の方法において、
前記接着剤を活性化又は硬化させるために加熱する、グレイジングの製造方法。
【請求項１１】
請求項６〜１０のいずれか１項に記載の方法において、
ハンダ付けの熱により前記接着剤の活性化又は硬化をも行う、グレイジングの製造方法。
【請求項１２】
請求項６〜１１のいずれか１項に記載の方法において、
前記電気伝導性基板を該グレイジング上にインクを塗布し、乾燥させ、さらには耐久性を有する導電経路を提供するために加熱して形成した、グレイジングの製造方法。
【手続補正書】
【提出日】平成20年1月23日(2008.1.23)
【手続補正１】
【補正対象書類名】明細書
【補正対象項目名】特許請求の範囲
【補正方法】変更
【補正の内容】
【特許請求の範囲】
【請求項１】
正の端部と負の端部とを有する空気電池において、
（ａ）複数のルーバを有する容器と、
（ｂ）陽極と、
（ｃ）陰極と
（ｄ）陽極と陰極とを分離する分離体と、
（ｅ）容器の壁において、相互に離間するように分離して設けられた複数の支持部と接触する上部組立体と、を備え、
上部組立体は、陰極を収容する中空部と、電池容器の端部表面を形成する端部キャップと、電流コレクターと、電池容器の壁上の支持部と係合する手段とを含む部材からなることを特徴とする電池。
【請求項２】
上部組立体は、電池の正の端部に向けられて配置されていることを特徴とする請求項１に記載の電池。
【請求項３】
上部組立体は、電池の負の端部に向けられて配置されていることを特徴とする請求項１に記載の電池。
【請求項４】
電池は、円筒状電池であることを特徴とする請求項１乃至３のいずれかに記載の電池。
【請求項５】
電池は、プリズム状タイプの電池であることを特徴とする請求項１乃至３のいずれかに記載の電池。
【請求項６】
電池は、四角状タイプの電池であることを特徴とする請求項１乃至３のいずれかに記載の電池。
【請求項７】
電池は、矩形状タイプの電池であることを特徴とする請求項１乃至３のいずれかに記載の電池。
【請求項８】
上部組立体は、ポッティング・シールを有することを特徴とする請求項１乃至７のいずれかに記載の電池。
【請求項９】
ポッティング・シールは、底部を含む中空部を有し、
陰極は、中空部の底部に接触しないことを特徴とする請求項８に記載の電池。
【請求項１０】
中空部に接着剤が施されることを特徴とする請求項９に記載の電池。
【請求項１１】
分離して設けられた部材は、容器の周囲に相互に等間隔で離間して設けられることを特徴とする請求項１乃至１０のいずれかに記載の電池。
【請求項１２】
容器は、少なくとも三つの支持部を有することを特徴とする請求項１乃至１１のいずれかに記載の電池。
【請求項１３】
容器は、少なくとも四つの支持部を有することを特徴とする請求項１１に記載の電池。
【請求項１４】
容器は、少なくとも六つの支持部を有することを特徴とする請求項１２に記載の電池。
【請求項１５】
支持部は、正の端部から負の端部に向けて容器内部に延びることを特徴とする請求項１乃至１４のいずれかに記載の電池。
【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】
互いに反対の極性配向で接続された少なくとも一対の固有極性交通制御信号（２０３、２０４、５１１、５１３、６０３、７０６、７０７、７０８、７０９、９２２、９２３、９２４、９２５、９４２、９４３、９４４、９４５）と、
複数の極性スイッチ（４０４、４０５、７０３、７０４、７０５）の第１の１つのスイッチの出力が一対の前記固有極性交通制御信号（２０３、２０４、５１１、５１３、６０３、７０６、７０７、７０８、７０９、９２２、９２３、９２４、９２５、９４２、９４３、９４４、９４５）の少なくとも第１の端部に接続（３１０、３１１、７１２、７１３、７１４、９０６、９０９、９１０、９１９、９２０、９２１、９３６、９３７、９３８、９３９）され、前記複数の極性スイッチ（４０４、４０５、７０３、７０４、７０５）の第２の１つのスイッチの出力が前記一対の前記固有極性交通制御信号（２０３、２０４、５１１、５１３、６０３、７０６、７０７、７０８、７０９、９２２、９２３、９２４、９２５、９４２、９４３、９４４、９４５）の少なくとも第２の端部に接続（３１０、３１１、７１２、７１３、７１４、９０６、９０９、９１０、９１９、９２０、９２１、９３６、９３７、９３８、９３９）された複数の極性スイッチ（４０４、４０５、７０３、７０４、７０５）とを備えた交通制御システム。
【手続補正書】
【提出日】平成20年1月16日(2008.1.16)
【手続補正１】
【補正対象書類名】明細書
【補正対象項目名】特許請求の範囲
【補正方法】変更
【補正の内容】
【特許請求の範囲】
【請求項１】  １〜０の１０個の数字ボタンを含んで多数のボタンを有するキーパッドにおいて、前記数字ボタンの全部または一部を含んで前記キーパッド上の全部または一部のアルファベットボタンにはそれぞれ１つまたは２つ以上のアルファベットが連関または配列されており、前記ボタン押下によって前記連関または配列されているアルファベットが認識される子音、母音、単語または句節を含むアルファベットの入力方法において、
それぞれの子母を入力するための、前記それぞれの子音と母音に対応するボタン値が定められているため、所定の索引がなくてもボタン押下によって文字を認識することができる入力方法であるフル入力方法（ＦＩＭ）と、
単語または句節などの語句と前記語句を構成する全部または一部のアルファベットと対応する前記キーパッド上のアルファベットボタン値であるシンプルコードを保存している索引が備えられ、ボタン入力値と前記索引のシンプルコードを比較して入力しようとする語句を解釈する入力方法である短縮入力方法（ＳＩＭd）とが内蔵されており、
（ａ）前記キーパッドでボタン入力値を受け取る段階と、
（ｂ）前記キーパッドからの入力値を前記フル入力方法で優先して解釈する段階と、
（ｃ）前記段階（ｂ）における解釈が前記フル入力方法に違反するか否かを判断する段階と、
（ｄ）前記段階（ｃ）において違反すると判断されると、前記入力値を前記短縮入力方法で解釈する段階と、を含むことを特徴とするキーパッドを用いた子音、母音、単語または句節を含むアルファベットの入力方法。
【請求項２】  １〜０の１０個の数字ボタンを含んで多数のボタンを有するキーパッドにおいて、前記数字ボタンの全部または一部を含んで前記キーパッド上の全部または一部のアルファベットボタンにはそれぞれ１つまたは２つ以上のアルファベットが連関または配列されており、前記ボタン押下によって前記連関または配列されているアルファベットが認識される子音、母音、単語または句節を含むアルファベットの入力方法において、
それぞれの子母を入力するための、前記それぞれの子音と母音に対応するボタン値が定められているため、所定の索引がなくてもボタン押下によって文字を認識することができる入力方法であるフル入力方法（ＦＩＭ）と、
単語または句節などの語句と前記語句を構成する全部または一部のアルファベットと対応する前記キーパッド上のボタン値であるシンプルコードを保存している索引が備えられ、ボタン入力値と前記索引のシンプルコードを比較して入力しようとする語句を解釈する入力方法である短縮入力方法（ＳＩＭ）と、が内蔵されており、
（ａ）前記キーパッドでボタン入力値を受け取る段階と、
（ｂ）前記キーパッドからの入力値を前記短縮入力方法で優先して解釈する段階と、
（ｃ）前記入力値と一致する前記シンプルコードが前記索引にもう存在しないかどうかを判断する段階と、
（ｄ）前記段階（ｃ）においてもう存在しないと判断されると、前記入力値を前記フル入力方法で解釈する段階と、を含むことを特徴とするキーパッドを用いた子音、母音、単語または句節を含むアルファベットの入力方法。
【請求項３】  １〜０の１０個の数字ボタンを含んで多数のボタンを有するキーパッドにおいて、前記数字ボタンの全部または一部を含んで前記キーパッド上の全部または一部のアルファベットボタンにはそれぞれ１つまたは２つ以上のアルファベットが連関または配列されており、前記ボタン押下によって前記連関または配列されているアルファベットが認識される子音、母音、単語または句節を含むアルファベットの入力方法において、
単語または句節などの語句と前記語句を構成する全部または一部のアルファベットと対応する前記キーパッド上のボタン値であるシンプルコードを保存している索引が備えられ、
（ａ）前記キーパッドでボタン入力値を受け取る段階と、
（ｂ）前記入力値と前記索引に保存されたシンプルコードを比較する段階と、
（ｃ）前記段階（ｂ）における比較の結果、一致するシンプルコードに対応する語句を認識する段階と、を含むことを特徴とするキーパッドを用いた子音、母音、単語または句節を含むアルファベットの入力方法。
【請求項４】  １〜０の１０個の数字ボタンを含んで多数のボタンを有するキーパッドにおいて、前記数字ボタンの全部または一部を含んで前記キーパッド上の全部または一部のアルファベットボタンにはそれぞれ１つまたは２つ以上のアルファベットが連関または配列されており、前記ボタン押下によって前記連関または配列されているアルファベットが認識される子音、母音、単語または句節を含むアルファベットの入力方法において、
単語または句節などの語句と前記語句を構成するアルファベットのうちの一部のアルファベットに対応する前記キーパッド上のボタン値であるシンプルコードの索引が保存されており、前記キーパッドと前記索引を備えたクライアントと、
単語または句節などの語句と当該語句を構成するアルファベットのうちの一部のアルファベットに対応する前記キーパッド上のボタン値であるシンプルコードの索引が保存されており、前記クライアントのキーパッドから入力された入力値を伝送されるサーバと、を含み、
１次的に前記クライアントのキーパッドから入力された入力値と前記クライアント側の索引に保存されたシンプルコードとを比較して前記入力値を解釈し、前記入力値と一致するシンプルコードが前記索引にもう存在しないことが確認されると、
２次的に前記入力値が前記サーバに伝送され、前記クライアントから伝送された入力値と前記サーバ側の索引に保存されたシンプルコードとを比較して前記入力値を解釈することを特徴とするキーパッドを用いた子音、母音、単語または句節を含むアルファベットの入力方法。
【請求項５】  前記サーバに保存されたシンプルコードの索引の資料は、多数のグループにグループ化されており、一部グループの資料に限定してクライアント側にダウンロードされることを特徴とする請求項４に記載のキーパッドを用いた子音、母音、単語または句節を含むアルファベットの入力方法。
【請求項６】  １〜０の１０個の数字ボタンを含んで多数のボタンを有するキーパッドにおいて、前記数字ボタンの全部または一部を含んで前記キーパッド上の全部または一部のアルファベットボタンにはそれぞれ１つまたは２つ以上のアルファベットが連関または配列されており、計算機モードにおいて前記ボタン押下によって算術演算子を入力する方法において、
前記アルファベットボタンではない、４個の上／下／左／右移動ボタンが備えられており、
前記４個のうちの一つの移動ボタンの押下によって前記加／減／乗／除の４つの算術演算子のうちの一つが認識されることを特徴とするキーパッドを用いた算術演算子の入力方法。
【請求項７】  使用者の入力を示すための液晶が備えられ、
前記４つの算術演算子が前記４個の移動ボタンにそれぞれ表記されず、前記４個の移動ボタンの押下によって所定の前記４つの算術演算子がそれぞれ認識され、前記４つの移動ボタンに対する前記４つの算術演算子の対等関係が液晶上に補助的に表示されることを特徴とする請求項６記載のキーパッドを用いた算術演算子の入力方法。
【手続補正書】
【提出日】平成20年1月9日(2008.1.9)
【手続補正１】
【補正対象書類名】明細書
【補正対象項目名】請求項８
【補正方法】変更
【補正の内容】
【請求項８】
デジタルコンピュータの内部メモリに直接ロードすることができると共に、ソフトウェアコード部を含むようなコンピュータプログラムにおいて、該コンピュータプログラムが前記デジタルコンピュータ上で実行された場合に、請求項５に記載の音声検出方法の前記各ステップが前記デジタルコンピュータにより実行されることを特徴とするコンピュータプログラム。
【手続補正２】
【補正対象書類名】明細書
【補正対象項目名】請求項９
【補正方法】変更
【補正の内容】
【請求項９】
請求項８に記載のコンピュータプログラムが記憶されている、コンピュータにより読み取ることが可能な媒体。
【手続補正３】
【補正対象書類名】明細書
【補正対象項目名】０００１
【補正方法】変更
【補正の内容】
【０００１】
【技術分野】
本発明は、請求項１の導入部に記載したような音声検出装置、請求項５の導入部に記載したような受信信号における十分に良好な信号対雑音比を持つ音声信号を検出する音声検出方法、及び請求項８の導入部に記載したようなコンピュータプログラムに関する。
【手続補正書】
【提出日】平成19年12月18日(2007.12.18)
【手続補正１】
【補正対象書類名】明細書
【補正対象項目名】特許請求の範囲
【補正方法】変更
【補正の内容】
【特許請求の範囲】
【請求項１】   各定数が装置コマンドに関連するパラメータの符号化された表現を形成する、定数の修正可能なリストと、
装置コマンドに従って、コマンドバッファをフォーマットする、存在する命令の少なくとも１つの組みと、
各前記定数と前記コマンドバッファをフォーマットする命令の対応する組みの修正可能なマッピングとを有する、装置コマンディングシステム内のコマンドバッファをフォーマットする拡張性のある転換エンジンであって、
前記転換エンジンは、新たなパラメータに従って、前記新たな定数と命令の組みをマッピングすることにより、前記新たなパラメータを有する新たな装置コマンドを収容するように拡張可能である、拡張性のある装置コマンド転換エンジン。
【請求項２】   各定数は、前記装置コマンドに関連する各パラメータのブールの組合せを含む、請求項１に記載の拡張性のある転換エンジン。
【請求項３】   前記修正可能なマッピングは、コマンドフォーマッティングプログラム内のテーブルであり、前記テーブルは、前記定数のリストと、各前記定数についての少なくとも１つの命令の対応する組みを有する、請求項１に記載の拡張性のある転換エンジン。
【請求項４】   装置コマンディングシステム内のコマンドバッファをフォーマットする転換エンジンを拡張する方法であって、
装置コマンドのパラメータの符号化された表現である定数を定義するステップと、
前記パラメータに従って、前記コマンドバッファをフォーマットする命令の組みを規定するステップと、
前記定義された定数を、前記規定された命令の組みにマッピングするステップとを有する方法。
【請求項５】  各定数は、前記装置コマンドに関連する各パラメータのブールの組合せを含む、請求項４に記載の方法。
【請求項６】  前記命令の組みは、コマンドフォーマッティングプログラム内に含まれるコンピュータプログラム機能である、請求項４に記載の方法。
【請求項７】  前記マッピングするステップは、前記コマンドフォーマッティングプログラム内にテーブルを形成し、前記テーブルは、前記定数と前記機能を関連させる、請求項６に記載の方法。
【請求項８】  更に、コマンドソーステンプレート内に前記パラメータを有する前記装置コマンドを定義するステップと、
前記の定数のリストから、前記パラメータに対応する定数を計算するステップと、
前記定義された装置コマンド、前記パラメータ及び前記対応する定数を装置コマンドデータベースにコンパイルするステップとを有し、
それによって、前記転換エンジンは、ランタイム装置コマンドに応答して、前記コマンドバッファをフォーマットするために、前記マッピングステップで、前記定数にマッピングする、適切な命令の組みを規定するために、前記ランタイム装置コマンドに対応する定数を識別するために、前記装置コマンドデータベースを調べることができる、請求項４に記載の方法。
【請求項９】   拡張性のある転換エンジンであって、
各定数が装置コマンドに関連するパラメータの符号化された表現を形成する、定数のリストと、
装置コマンドと関連するパラメータをそこに有する装置コマンドデータベースと、
前記装置コマンドと関連するパラメータを、前記定数に関連させ、且つ、前記装置コマンド、関連するパラメータ及び前記定数を、前記装置コマンドデータベースにコンパイルする、装置コマンドデータベース発生器と、
装置コマンドと対応するパラメータにしたがって、コマンドバッファをフォーマットする命令の組みを有し、且つ、前記命令の組みを前記定数にマッピングする、コマンドフォーマッターについてのソースコードと、
前記装置コマンドデータベース内の選択された装置コマンドに応答して、コマンドバッファをフォーマットする、コマンドフォーマッターとを有し、
前記コマンドフォーマッターは、前記ソースコードからコンパイルされ、
前記コマンドフォーマッターは、選択された装置コマンドに関連する前記装置コマンドデータベース内の定数を識別し、
前記コマンドフォーマッターは、前記識別された定数にマッピングする命令の組みに従って、前記転換エンジンは、前記コマンドバッファをフォーマットし、
それにより、最初に、新たな定数を、計算し且つ前記定数のリストに加え、且つ、前記ソースコード内で、前記新たな定数と命令の組みをマッピングし、第２に、新たな対応するパラメータと前記新たな定数を有する前記装置コマンドを、前記装置コマンドデータベース内に再コンパイルし、そして、第３に、前記修正されたソースコードを使用して、前記コマンドフォーマッターを再コンパイルすることにより、新たな対応するパラメータを有する装置コマンドを収容するように拡張できる、拡張性のある転換エンジン。
【請求項１０】   更に、新たなパラメータを有する装置コマンドを定義するコマンドソーステンプレートを含み、それにより、前記装置コマンドデータベース発生器は、前記コマンドソーステンプレートを、そこに前記装置コマンド、新たなパラメータ及び前記新たなパラメータを有する前記装置コマンドに対応する定数を有する、装置コマンドレコードに、コンパイルできる、請求項９に記載の拡張性のある転換エンジン。
【手続補正書】
【提出日】平成20年6月6日(2008.6.6)
【手続補正１】
【補正対象書類名】明細書
【補正対象項目名】特許請求の範囲
【補正方法】変更
【補正の内容】
【特許請求の範囲】
【請求項１】  少なくとも一つの第１高電圧徐細動電極と、
少なくとも一つの第２高電圧徐細動電極と、
前記第１及び第２電極の少なくとも一つの近傍に設けられるとともに機械的に連結されている少なくとも一つの手動操作性制御器と、前記手動操作性制御器は力感知要素および加速器のいずれでもなく、救助者の手又は指の動作によって操作可能であることと、
前記第１及び第２電極、並びに前記少なくとも一つの手動操作性制御器に電気接続されて、救助者による手動操作性制御器の使用に基づき救助者に救急蘇生プロンプトを提供すべく形成された救急蘇生制御箱と前記救急蘇生制御箱は前記手動操作性制御器とは機械的に分離して設けられていることとからなり、患者を救助する救助者によって使用されるための、救急蘇生システム。
【請求項２】  前記第１及び第２電極のうちの少なくとも一つと機械的に連結された複数の手動操作性制御器からなる請求項１に記載の救急蘇生システム。
【請求項３】  前記少なくとも一つの手動操作性制御器は、救急蘇生操作を休止させる休止制御器からなる請求項１に記載の救急蘇生システム。
【請求項４】  前記少なくとも一つの手動操作性制御器は、救急蘇生の特定の局面において救急蘇生制御システムからのプロンプトを要請するヘルプボタンからなる請求項１に記載の救急蘇生システム。
【請求項５】  前記救急蘇生の特定局面は患者の気道洗浄である請求項４に記載の救急蘇生システム。
【請求項６】  前記救急蘇生の特定局面は患者の呼吸の補助である請求項４に記載の救急蘇生システム。
【請求項７】  前記救急蘇生の特定局面は患者の循環の補助である請求項４に記載の救急蘇生システム。
【請求項８】  前記第１電極が胸骨電極であり、前記第２電極が頂部電極である請求項１に記載の救急蘇生システム。
【請求項９】  前記手動操作性制御器はユーザによって押圧されるべく形成されているボタンである、請求項１に記載の救急蘇生システム。
【請求項１０】  心肺蘇生の胸部圧迫に適切であるように患者の身体領域に配置すべく形成された心肺蘇生パッドと、
前記心肺蘇生パッドと相互接続された圧迫感知要素と、
前記圧迫感知要素に電気接続されるとともに、前記圧迫感知要素から圧迫情報を受信す
べく形成された救急蘇生制御箱と、
前記心肺蘇生パッドと機械的に連結されるとともに前記救急蘇生制御箱と機械的に分離して設けられている、少なくとも一つの手動操作性制御器と、前記救急蘇生制御箱はこの少なくとも一つの手動操作性制御器に電気接続され、救助者による手動操作性制御器の使用に基づき救助者に救急蘇生プロンプトを提供すべく形成されていることとからなる、心肺蘇生システム。
【請求項１１】  前記手動操作性制御器はユーザによって押圧されるべく形成されているボタンである、請求項１０に記載の心肺蘇生システム。
【請求項１２】  患者に除細動ショックを自動的に与えるための方法において、
除細動のショックを患者に与えるため、及び心電図信号を検出するための複数の電極を患者胸部に当てる工程と、
除細動によって治療可能な心音であるかを判定すべく、前記心電図信号を解析する工程と、
心肺機能蘇生ための胸部圧迫を行っている、１つの期間と次の期間の間に、心電図信号データによる前記心電図解析を行う工程とからなる、方法。
【請求項１３】  前記心電図信号の解析結果に基づく指示をユーザに与える工程をさらに備える、請求項１２に記載の方法。
【請求項１４】  前記指示は、心肺機能蘇生を行うこと、又は継続することを指示するものである、請求項１３に記載の方法。
【請求項１５】  前記心電図信号の解析に続き、患者に除細動ショックを与える工程をさらに備える、請求項１２に記載の方法。
【請求項１６】  除細動ショックを与えるために患者胸部外側に当てるように形成されている少なくとも２つの除細動電極と、
前記患者から１つ以上の心電図信号を得るための信号源と、
前記除細動電極に除細動ショックを与えるための除細動回路と、
前記心電図信号を受信及び処理して除細動ショックが与えられるべきか、又は心肺蘇生が行われるべきかを判定するとともに、除細動ショックを与えること、又は心肺蘇生を行うことのいずれを行うかについてユーザに指示を出す制御箱とを備え、
心肺蘇生が行われるべきか否かを判定し、及び心肺蘇生を行う指示を与えることは、救助の間のいかなる時点においても行われる、救助システム。
【請求項１７】  前記制御箱は、除細動ショックの提供を開始するために、ユーザによって操作可能な制御器を含み、除細動ショックを提供するための指示は、前記ユーザによって操作可能な制御器を作動するための指示を含む、請求項１６に記載の救助システム。
【請求項１８】  前記ユーザによって操作可能な制御器は、前記ユーザによって押圧されるべく形成されたボタンである、請求項１７に記載の救助システム。
【請求項１９】  心肺蘇生が行われるべきか否かの前記判定、及び、心肺蘇生を行う指示は、いかなる除細動ショックを与える判定よりも前に行われる、請求項１６に記載の救助システム。
【請求項２０】  前記心電図信号の信号源は、前記除細動電極である、請求項１６に記載の救助システム。
【請求項２１】  前記除細動回路は前記制御箱の中に収容されている、請求項１６に記載の救助システム。
【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】  水晶体嚢（２）内に配置するため、かつ眼の水晶体本体（３）を交換するための水晶体インプラントであって、天然の水晶体本体（３）の形状と大きさを遠位表面（１２ａ）および近位表面（１２ｂ）とともに有しており、遠位表面（１２ａ）は近位表面（１２ｂ）よりも強度の曲率を有し、流動状態から弾性的で変形可能な状態に硬化できる第１の可変性部分（１０）および第１の部分（１０）とは異なる屈折率および／または弾性的可変性を有する第２の部分（１１）もともに有しており、当該第２の部分（１１）は遠位表面（１２ａ）を形成し、当該第１の部分（１０）は近位表面（１２ｂ）を形成することを特徴とする水晶体インプラント。
【請求項２】  第２の部分が第１の部分（１０）の屈折率とは異なる屈折率を有することを特徴とする請求項１記載の水晶体インプラント。
【請求項３】  第１の部分（１０）および第２の部分（１１）が互いに接していることを特徴とする請求項１または２に記載の水晶体インプラント。
【請求項４】  第１の部分（１０）が流動可能状態から弾性的な変形可能状態に眼球内で硬化可能であることを特徴とする請求項１〜３のいずれかに記載の水晶体インプラント。
【請求項５】  巻き上げた状態または折りたたんだ状態で水晶体嚢中に導入するために第２の部分（１１）が弾性的な変形可能なものであることを特徴とする請求項１〜４のいずれかに記載の水晶体インプラント。
【請求項６】  水晶体が第１の部分（１０）および第２の部分（１１）から構成されることを特徴とする請求項１〜５のいずれかに記載の水晶体インプラント。
【請求項７】  第２の部分（１１）の遠位側が、水晶体インプラントの凸状遠位表面（１２ａ）を形成するために弛緩状態で曲がっていることを特徴とする請求項１〜６のいずれかに記載の水晶体インプラント。
【請求項８】  第１の部分（１０）が架橋されたポリシロキサン類、ヒドロゲル類およびコラーゲン調製物から構成される群から選択された物質を少なくとも含むことを特徴とする請求項１〜７のいずれかに記載の水晶体インプラント。
【請求項９】  第１の部分が第２の部分よりもより変形可能で、特に、第１の部分が第２の部分よりもより弾性的に変形可能であることを特徴とする請求項１〜８のいずれかに記載の水晶体インプラント。
【請求項１０】  第１の部分がゲルであることを特徴とする請求項１〜９のいずれかに記載の水晶体インプラント。
【請求項１１】  第２の部分が充填材料（１１ｂ）で満たされたバッグ（１１ａ）からなることを特徴とする請求項１〜１０のいずれかに記載の水晶体インプラント。
【請求項１２】  近位表面が８．４〜１３．８ｍｍの間の曲率半径を有する凸状であること、遠位表面が４．６〜７．５ｍｍの間の曲率半径を有する凸状であること、および水晶体インプラントが２．８〜５．５ｍｍの間の厚さを有することを特徴とする請求項１〜１１のいずれかに記載の水晶体インプラント。
【請求項１３】  水晶体インプラントが無限に適応する天然の水晶体本体の大きさと形状を実質的に有するような方法で当該水晶体インプラントの大きさと形状としたことを特徴とする請求項１〜１２のいずれかに記載の水晶体インプラント。
【請求項１４】  第１の部分（１０）が第２の部分（１１）の容積を超える容積を有していることを特徴とする請求項１〜１３のいずれかに記載の水晶体インプラント。
【請求項１５】  第１の部分（１０）が第２の部分（１１）の直径を超える直径を有していることを特徴とする請求項１〜１４のいずれかに記載の水晶体インプラント。
【請求項１６】  第１の部分（１０）を形成するための少なくとも１個の流動可能な充填材料および第２の部分（１１）を形成するための複数の予め成形された水晶体部分により特徴づけられ、当該水晶体部分は、異なる形状および／または屈折率を有することを特徴とする請求項１〜１５のいずれかに記載の水晶体インプラントを製造するためのキット。
【請求項１７】  水晶体部分が異なる屈折率を有することを特徴とする請求項１６記載のキット。
【請求項１８】  充填材料が、流動可能状態から弾性的な変形可能状態に硬化可能であることを特徴とする請求項１６または１７のいずれかに記載のキット。
【請求項１９】  水晶体部分の少なくとも一部が予め成形され、充填可能なバッグ（１１ａ）から構成されることを特徴とする請求項１６〜１８のいずれかに記載のキット。
【手続補正書】
【提出日】平成20年2月5日(2008.2.5)
【手続補正１】
【補正対象書類名】明細書
【補正対象項目名】特許請求の範囲
【補正方法】変更
【補正の内容】
【特許請求の範囲】
【請求項１】  患者の脈管にステントを導入する装置であって、
遠位部分を有するイントロデューサカテーテルと、
近位領域と遠位領域を有し、前記イントロデューサカテーテルの遠位部分内に配置された前記ステントを前記カテーテルの外へ付勢するプッシャ部材を含むプッシャ組立体と、を備え、
前記プッシャ部材は、前記遠位領域の遠位端に配置され、
前記プッシャ組立体は、前記イントロデューサカテーテル内に取付けられ、かつ前記プッシャ部材に力を加えて前記ステントの近位端に付勢力をかけるために前記装置の近位領域から操作可能である装置において、
前記プッシャ組立体の遠位領域が、前記プッシャ組立体の近位領域に比して、大きな横方向撓み性を有する、
ことを特徴とする装置。
【請求項２】  前記プッシャ組立体の遠位領域が、前記近位領域の遠位端から前記遠位領域の遠位端まで、延びている、
請求項１に記載の装置。
【請求項３】  前記プッシャ組立体の引き込み中に前記イントロデューサカテーテルの遠位部分がキンクする或いはキンクしたままになる傾向は、前記近位領域の遠位端と係合するように前記遠位領域の近位端の前記プッシャ部材の近位表面を成形することによって補償される、
請求項１または２に記載の装置。
【請求項４】  前記遠位領域が、前記近位領域の遠位端に係合する遠位領域の近位端に、第２部材を有する、
請求項１ないし３のいずれか１項に記載の装置。
【請求項５】  前記第２部材の表面が、前記後者にキンクを開通させ、前記プッシャ組立体が近位から遠位方向に動く間、これを通過することができるように成形されている、
請求項４に記載の装置。
【請求項６】  前記第２部材が、前記プッシャ組立体の遠位領域の近位端に固定され、
前記プッシャ組立体の近位領域の外側部分が、前記イントロデューサカテーテルの内径の合致し、前記第２部材の近位側の全ての位置でのキンクを防止する、
請求項４または５に記載の装置。
【請求項７】  前記プッシャ組立体の遠位領域が、前記プッシャ組立体の近位領域の外径より著しく小さい外径を有し、
前記遠位領域が、前記近位領域より大きな可撓性を有する、
請求項６に記載の装置。
【請求項８】  前記プッシャ部材の遠位面が、前記イントロデューサカテーテル内の前記ステントの動きを容易にするように、面取りされている、
請求項１ないし７のいずれか１項に記載の装置。